(57)【要約】【課題】使用環境の変化によって生じる液晶分子の逆転移を防止する。【解決手段】  液晶表示装置は液晶分子の配向状態が予めスプレイ配向からベンド配向に転移される液晶層４を持つＯＣＢモードの液晶表示パネルＤＰと、映像信号に対応して液晶駆動電圧を液晶層４に印加する表示制御部ＣＮＴ，ＬＤ，５０，ＴＳ，ＴＳＣとを備える。表示制御部は液晶表示パネルＤＰの使用環境を検出し、検出した使用環境に依存してスプレイ配向のエネルギーとベンド配向のエネルギーとを拮抗させる転移閾値電圧に基いて液晶駆動電圧の最小値を決定するように構成される。【選択図】図１
2007128039.tif 000002
【特許請求の範囲】
【請求項１】
液晶分子がベンド配向された状態の液晶層を持つＯＣＢモードの液晶表示パネルと、映像信号に対応して液晶駆動電圧を前記液晶層に印加する表示制御部とを備え、前記表示制御部は前記液晶表示パネルの使用環境を検出し、検出した使用環境においてスプレイ配向のエネルギーと前記ベンド配向のエネルギーとを拮抗させる転移閾値電圧に基いて液晶駆動電圧の最小値を決定するように構成されることを特徴とする液晶表示装置。
【請求項２】
前記表示制御部は互いに異なる所定パネル温度範囲に対する前記液晶駆動電圧の最小値として設けられる前記転移閾値電圧以上の電圧のデータを保持するテーブルを有し、前記使用環境として検出される前記液晶表示パネルの温度を含むパネル温度範囲に対して前記テーブルに保持された電圧を求め、前記液晶駆動電圧の最小値をこの電圧に決定するように構成されることを特徴とする請求項1に記載の液晶表示装置。
【請求項３】
前記液晶駆動電圧の最小値は白表示用に印加される白電圧であることを特徴とする請求項1に記載の液晶表示装置。
【請求項４】
前記液晶表示パネルは一対の電極が液晶層を介して対向する液晶画素を有し、前記表示制御部は所定数の階調基準電圧を発生する階調基準電圧発生回路と、前記階調基準電圧発生回路から得られる階調基準電圧を選択的に用いることにより前記映像信号に含まれる画素データを前記一対の電極の一方に印加される画素電圧に変換する信号変換回路とを有し、前記階調基準電圧発生回路は黒表示を行うための黒電圧として可変される第１電源電圧を出力する黒電圧制御部、白表示を行うための白電圧として可変される第２電源電圧を出力する白電圧制御部、および第１および第２電源電圧の差電圧を階調基準電圧に分圧するように前記黒電圧制御部および前記白電圧制御部に接続されるラダー抵抗部を含むことを特徴とする請求項1に記載の液晶表示装置。
【請求項５】
前記黒電圧制御部は前記液晶表示パネルの温度に対して前記黒電圧を最適化するように構成されることを特徴とする請求項４に記載の液晶表示装置。
【請求項６】
前記白電圧制御部は前記白電圧を前記スプレイ配向のエネルギーと前記ベンド配向のエネルギーとを拮抗させる転移閾値電圧を僅かに越える値に設定するように構成されることを特徴とする請求項５に記載の液晶表示装置。  
【請求項７】
前記第１電源電圧は分圧中心点に対して正極性および負極性の黒電圧を得るために前記ラダー抵抗部の両端に供給され、前記第２電源電圧は分圧中心点に対して正極性および負極性の白電圧を得るために前記ラダー抵抗部において分圧の中心点を含む部分の両端に供給されることを特徴とする請求項４に記載の液晶表示装置。  
【請求項８】
液晶分子がベンド配向された状態の液晶層を持つＯＣＢモードの液晶表示パネルのための表示制御方法であって、映像信号に対応して液晶駆動電圧を前記液晶層に印加する際に、前記液晶表示パネルの使用環境を検出し、検出した使用環境においてスプレイ配向のエネルギーと前記ベンド配向のエネルギーとを拮抗させる転移閾値電圧に基いて液晶駆動電圧の最小値を決定することを特徴とする表示制御方法。
【請求項９】
互いに異なる所定パネル温度範囲に対する前記液晶駆動電圧の最小値として設けられる前記転移閾値電圧以上の電圧のデータを保持するテーブルを設け、前記使用環境として検出される前記液晶表示パネルの温度を含むパネル温度範囲に対して前記テーブルに保持された電圧を求め、前記液晶駆動電圧の最小値をこの電圧に決定することを特徴とする請求項８に記載の表示制御方法。
【請求項１０】
前記液晶駆動電圧の最小値は白表示を行うための白電圧であることを特徴とする請求項８に記載の表示制御方法。
【請求項１１】
液晶分子がベンド配向された状態の液晶層、および一対の電極が液晶層を介して対向する液晶画素を持つＯＣＢモードの液晶表示パネルのための表示制御装置であって、所定数の階調基準電圧を発生する階調基準電圧発生回路と、前記階調基準電圧発生回路から得られる階調基準電圧を選択的に用いて画素データを前記一対の電極の一方に印加される画素電圧に変換する信号変換回路とを備え、前記階調基準電圧発生回路は前記液晶表示パネルの使用環境においてスプレイ配向のエネルギーと前記ベンド配向のエネルギーとを拮抗させる転移閾値電圧に基いて前記所定数の階調基準電圧の電圧範囲を決定するように構成されることを特徴とする表示制御装置。
【請求項１２】
前記階調基準電圧発生回路は黒表示のための黒電圧として可変される第１電源電圧を出力する黒電圧制御部、白表示のための白電圧として可変される第２電源電圧を出力する白電圧制御部、および第１および第２電源電圧の差電圧を階調基準電圧に分圧するように前記黒電圧制御部および前記白電圧制御部に接続されるラダー抵抗部を含むことを特徴とする請求項１１に記載の表示制御装置。
【請求項１３】
前記白電圧制御部は前記転移閾値電圧に対して前記白電圧を最適化するように構成されることを特徴とする請求項１２に記載の表示制御装置。
【請求項１４】
前記白電圧は前記液晶表示パネルの温度が所定の室温範囲よりも高い場合に増大されることを特徴とする請求項１３に記載の表示制御装置。  
【請求項１５】
前記白電圧は前記液晶表示パネルの温度が所定の室温範囲よりも低い場合に増大されることを特徴とする請求項１３に記載の表示制御装置。  
【請求項１６】
前記黒電圧制御部は前記液晶表示パネルの温度に対して前記黒電圧を最適化するように構成されることを特徴とする請求項１２に記載の表示制御装置。
【請求項１７】
前記第１電源電圧は分圧中心点に対して正極性および負極性の黒電圧を得るために前記ラダー抵抗部の両端に供給され、前記第２電源電圧は分圧中心点に対して正極性および負極性の白電圧を得るために前記ラダー抵抗部において分圧の中心点を含む部分の両端に供給されることを特徴とする請求項１２に記載の表示制御装置。
【発明の詳細な説明】
【技術分野】
【０００１】
本発明は、例えばOptically Compensated Bend (ＯＣＢ)モードの表示動作に適合した液晶分子の配向状態を維持する液晶表示装置、表示制御方法、および表示制御装置に関する。
【背景技術】
【０００２】
近年、液晶テレビや携帯電話などの分野では、動画表示に必要とされる高速な液晶応答性を有するＯＣＢモードの液晶表示パネルが注目されている。
【０００３】
ＯＣＢモードの液晶表示パネルは一般に複数の画素電極が配向膜で覆われるアレイ基板、共通電極が配向膜で覆われる対向基板、および各配向膜に隣接してアレイ基板および対向基板間に挟持される液晶層を含み、さらに一対の偏光板を光学位相補償フィルムを介してアレイ基板および対向基板に貼り付けた構造を有する。このような液晶表示パネルでは、液晶分子のベンド配向と光学位相補償フィルムとを組み合わせた光学補償により広い視野角を得ることができる。
【０００４】
アレイ基板では、複数の画素電極がマトリクス状に配置される。対向基板では、共通電極がこれら画素電極に対向して配置される。画素電極および共通電極はこれら電極間に配置される液晶層の画素領域と共に液晶画素を構成し、画素領域内の液晶分子配列を画素電極および共通電極間の電位差である液晶駆動電圧に対応する電界によって制御する。この液晶表示パネルに表示動作を行わせる場合、全液晶画素に対するデジタル映像信号が例えば複数の階調基準電圧を用いてアナログ画素電圧に変換され、これら液晶画素に出力される（例えば、特許文献１を参照）。画素電圧は共通電極の電位を基準にして画素電極に印加される電圧であり、液晶分子の偏在化による液晶表示パネルの劣化を避けるため共通電極の電位に対して周期的に極性反転される。
【０００５】
ＯＣＢモードの液晶表示パネルでは、液晶分子の配向状態が電源投入直後の初期化処理として行われる転移駆動により図１８に示すようにスプレイ配向からベンド配向に予め転移され、表示動作がこの転移後に行われる。しかしながら、スプレイ配向のエネルギーとベンド配向のエネルギーとが拮抗するレベル未満の電圧印加状態や電圧無印加状態が長期間続く場合には、液晶分子の配向状態がベンド配向からスプレイ配向に逆転移してしまう。
【０００６】
この逆転移を防止する方策としては、黒挿入駆動が知られている（例えば、特許文献２を参照）。この黒挿入駆動は、映像信号に対応しない逆転移防止用黒電圧を画素電圧として液晶電極に印加する黒挿入書込みおよび映像信号に対応する電圧を画素電圧として液晶電極に印加する映像信号書込みを周期的に行うダイナミックベンド方式である。このダイナミックベンド方式は、黒挿入書込みおよび映像信号書込みのために高速で全行の液晶画素を駆動しなければならず、大型の液晶表示パネルに適用することが容易でなかった。例えば２倍速の黒挿入駆動では、２回の垂直走査が黒挿入書込用および映像信号書込用に１フレーム期間毎に行われる。このような黒挿入駆動を例えば対角３２インチの液晶表示パネルに対して行うとすれば、一般的なドライバＩＣをこの黒挿入駆動のために利用することは困難である。
【０００７】
ちなみに、液晶表示パネルの明るさはこのパネルを照明するバックライトユニットの周期的な点滅により調光される。しかしながら、この調光を行うと、黒挿入書込みから映像信号書込みまでの黒挿入期間とバックライトユニットの点滅周期との関係から、上端側から下端側に向って移動する黒帯状の映像が液晶表示パネルに現れることがある。バックライトユニット側でこの問題に対処するには、黒挿入駆動に影響しない４ｋＨｚ程度の高い周波数でバックライトユニットを点滅させる必要がある。バックライトユニットがＬＥＤ光源であれば、このような高い周波数でバックライトユニットを点滅できるはずであるが、これによる製造コストの増大や効率の低下を許容する必要がある。これに対して、バックライトユニットが冷陰極管である場合、約９００Ｈｚ以下の周波数で冷陰極管を点滅させることは可能であるが、これを越える上述のような高い周波数で点滅させることは困難である。
【特許文献１】特開２００３−２２８３３２号公報
【特許文献２】特開２００３−２９５１５６号公報
【発明の開示】
【発明が解決しようとする課題】
【０００８】
ところで、スプレイ配向への逆転移は、上述したダイナミックベンド方式だけでなく、例えばスタティックベンド方式においても防止することが可能である。スタティックベンド方式では、逆転移防止用黒電圧を用いる代りに、液晶駆動電圧がスプレイ配向のエネルギーとベンド配向のエネルギーとを拮抗させる転移閾値電圧Ｖｃ以上に維持される。この場合、白表示での画素透過率が１００％未満になるが、逆転移防止用黒電圧の周期的な印加に伴う画素電圧の変化を必要としないため消費電力が低減される。
【０００９】
しかしながら、スタティックベンド方式を採用した従来の液晶表示パネルは、例えばパネル温度や駆動周波数等の使用環境の変化によって逆転移が発生することがあった。
【００１０】
本発明の目的は、使用環境の変化によって生じる液晶分子の逆転移を防止できる液晶表示装置、表示制御方法、および表示制御装置を提供することにある。
【課題を解決するための手段】
【００１１】
本発明の第１観点によれば、液晶分子がベンド配向された状態の液晶層を持つＯＣＢモードの液晶表示パネルと、映像信号に対応して液晶駆動電圧を液晶層に印加する表示制御部とを備え、表示制御部は液晶表示パネルの使用環境を検出し、検出した使用環境においてスプレイ配向のエネルギーとベンド配向のエネルギーとを拮抗させる転移閾値電圧に基いて液晶駆動電圧の最小値を決定するように構成される液晶表示装置が提供される。
【００１２】
本発明の第２観点によれば、液晶分子がベンド配向された状態の液晶層を持つＯＣＢモードの液晶表示パネルのための表示制御方法であって、映像信号に対応して液晶駆動電圧を前記液晶層に印加する際に、液晶表示パネルの使用環境を検出し、検出した使用環境においてスプレイ配向のエネルギーとベンド配向のエネルギーとを拮抗させる転移閾値電圧に基いて液晶駆動電圧の最小値を決定する表示制御方法が提供される。
【００１３】
本発明の第３観点によれば、液晶分子がベンド配向された状態の液晶層、および一対の電極が液晶層を介して対向する液晶画素を持つＯＣＢモードの液晶表示パネルのための表示制御装置であって、所定数の階調基準電圧を発生する階調基準電圧発生回路と、階調基準電圧発生回路から得られる階調基準電圧を選択的に用いて画素データを一対の電極の一方に印加される画素電圧に変換する信号変換回路とを備え、階調基準電圧発生回路は液晶表示パネルの使用環境においてスプレイ配向のエネルギーとベンド配向のエネルギーとを拮抗させる転移閾値電圧に基いて階調基準電圧の電圧範囲を決定するように構成される表示制御装置が提供される。
【発明の効果】
【００１４】
これら液晶表示装置、表示制御方法、および表示制御装置では、液晶駆動電圧または画素電圧の最小値が液晶表示パネルの使用環境（温度や駆動周波数等）においてスプレイ配向のエネルギーとベンド配向のエネルギーとを拮抗させる転移閾値電圧に基いて決定される。すなわち、パネル温度や駆動周波数等が変化しても、液晶駆動電圧はベンド配向からスプレイ配向へ液晶分子を逆転移させない範囲に維持することができる。このため、使用環境の変化によって生じる液晶分子の逆転移が防止される。
【発明を実施するための最良の形態】
【００１５】
以下、本発明の第１実施形態に係る液晶表示装置について、図面を参照して説明する。
【００１６】
図１はこの液晶表示装置の回路構成を概略的に示す。この液晶表示装置は、光透過型のＯＣＢモードの液晶表示パネルＤＰ、バックライトユニットＢＬ、温度センサＴＳ、温度検出部ＴＳＣ、最小駆動電圧決定部５０、表示制御回路ＣＮＴ、およびバックライト駆動部ＬＤを備えている。
【００１７】
液晶表示パネルＤＰは、透明電極としてＩＴＯからなる複数の画素電極ＰＥが透明絶縁基板であるガラス板ＧＬ上に配置され配向膜ＡＬで覆われるアレイ基板２、カラーフィルタＣＦが透明絶縁基板であるガラス板ＧＬ上に配置されると共に透明電極としてＩＴＯからなる共通電極ＣＥが複数の画素電極ＰＥに対向してカラーフィルタＣＦ上に配置され配向膜ＡＬで覆われる対向基板３、および各配向膜ＡＬに隣接してアレイ基板２および対向基板３間に挟持される液晶層４を含み、さらに一対の偏光板ＰＬを光学位相補償フィルムである光学位相差板ＲＴを介してアレイ基板２および対向基板３に貼り付けた構造を有する。反射型あるいは半透過型の液晶表示パネルＤＰであれば、画素電極ＰＥの全部または一部をアルミニュウム等の金属材料からなる反射電極として構成することができる。
【００１８】
アレイ基板２では、複数の画素電極ＰＥが略マトリクス状に配置され、複数のゲート線がこれら画素電極ＰＥの行に沿って配置され、複数のソース線がこれら画素電極ＰＥの列に沿って配置され、さらに複数の画素スイッチング素子がこれら複数のゲート線および複数の信号線の交差位置近傍に配置される。各画素スイッチング素子は対応ゲート線を介して駆動されたときに対応ソース線の電位を画素電圧として対応画素電極ＰＥに印加する。バックライトユニットＢＬは、液晶表示パネルＤＰを照明する照明光源であり、例えば冷陰極管や発光ダイオード(ＬＥＤ)などから構成されている。バックライト駆動部ＬＤは、バックライトユニットＢＬを周期的に駆動するように構成される。液晶表示パネルＤＰの明るさはバックライトユニットＢＬの点灯期間と消灯期間との比率により制御される。温度センサＴＳは、温度を電流信号等の出力信号に変換するモジュールである。温度検出部ＴＳＣは、温度センサＴＳの出力信号を温度として検出し、検出温度を数値で表す温度データを出力するために設けられる。最小駆動電圧決定部５０は、温度検出部ＴＳＣによって検出された温度に対応する転移閾値電圧を求め、この転移閾値電圧に基いて液晶駆動電圧の最小値を決定するように構成される。転移閾値電圧（または、逆転移臨界電圧）はスプレイ配向のエネルギーとベンド配向のエネルギーとを拮抗させるために印加される液晶駆動電圧の絶対値であり、液晶表示パネルＤＰの使用環境の一例である温度に依存する。従って、この使用環境の変化に対処するように液晶駆動電圧が制御される。最小駆動電圧決定部５０は様々な温度に対する複数の転移閾値電圧を数値で表すデータとして予め保持する転移閾値電圧テーブル５０Ａを有し、温度検出部ＴＳＣからの温度データに対応する転移閾値電圧を転移閾値電圧テーブル５０Ａにおいて検索し、この結果として得られる転移閾値電圧を液晶駆動電圧の最小値として表示制御回路ＣＮＴに設定する。液晶表示パネルＤＰは、例えば液晶駆動電圧がこの最小値であるときに白表示を行うようにノーマリホワイトモードで動作される。ちなみに、液晶表示パネルＤＰをノーマリブラックモードで動作させるのであれば、液晶駆動電圧がこの最小値であるときに黒表示が行われる。
【００１９】
表示制御回路ＣＮＴは、液晶表示パネルＤＰの表示動作を制御するために設けられる。この制御により、外部信号源から入力される映像信号に対応して液晶駆動電圧を液晶層に印加する。表示制御回路ＣＮＴは、複数のゲート線を順次駆動するゲートドライバ１０と、各ゲート線が駆動される間に対応行の画素電極ＰＥに対する画素電圧を出力して複数のソース線を並列的に駆動するソースドライバ２０と、ゲートドライバ１０、ソースドライバ２０およびバックライト駆動部ＬＤの動作を制御する駆動制御部３０と、外部信号源から入力される映像信号を処理する映像信号処理部４０とを有する。液晶表示パネルＤＰの共通電極ＣＥには、共通電圧Ｖcomが駆動制御部３０から供給される。また、バックライト駆動部ＬＤは、駆動制御部３０の制御によってバックライトユニットＢＬの点灯期間と消灯期間の割合を決定する。画素電圧は共通電極ＣＥの電位を基準にして画素電極ＰＥに印加される電圧であり、液晶駆動電圧は画素電極ＰＥおよび共通電極ＣＥ間の電位差である。ここでは、共通電圧Ｖcomが例えば０Ｖに固定されている。この場合には、液晶駆動電圧が画素電圧に等しい値を持つ。
【００２０】
次に、この液晶表示装置の動作について説明する。液晶表示パネルＤＰの温度が液晶表示装置の設置環境温度あるいはバックライトユニットＢＬからの熱放射により変化すると、これが温度センサＴＳの出力に反映される。温度検出部ＴＳＣが温度センサＴＳの出力信号から液晶表示パネルＤＰの温度を検出すると、転移閾値電圧テーブル５０Ａを用いて検出温度に対応する転移閾値電圧を求め、液晶駆動電圧の最小値を転移閾値電圧Ｖｃあるいはこの転移閾値電圧Ｖｃに所定のマージンとして例えば０．３Ｖ以上の電圧を加えてこのこの転移閾値電圧Ｖｃを僅かに越える電圧に決定する。
【００２１】
表示制御回路ＣＮＴでは、駆動制御部３０が最小駆動電圧決定部５０により決定された液晶印加電圧の最小値が白表示のための画素電圧である白電圧となるように映像信号用の画素電圧の範囲を決定する。駆動制御部３０は、さらに映像信号処理部４０から各行の画素電極ＰＥに対する画素データが得られる毎に対応ゲート線を駆動するようにゲートドライバ１０を制御し、これら画素データをこの画素電圧の範囲に変換して複数のソース線に出力するようにソースドライバ２０を制御する。これにより、画素電圧が各行の画素電極ＰＥに印加される。
【００２２】
図２は、図１に示す液晶表示パネルＤＰに対して従来形式で設定された黒電圧Ｖａおよび白電圧Ｖｂとパネル温度に依存した転移閾値電圧Ｖｃとの関係を比較例として示す。例えば黒挿入駆動を行う場合には、黒電圧Ｖａおよび白電圧Ｖｂが転移閾値電圧Ｖｃに対して図２に示すような関係であってもよい。ここで、黒電圧Ｖａおよび白電圧Ｖｂは画素電圧の最大値および最小値である。すなわち、画素電圧は黒電圧Ｖａおよび白電圧Ｖｂ間の範囲で映像信号に対応した値に設定される。具体的には、ソースドライバ１０が黒電圧Ｖａを黒表示用の画素電圧として出力し、白電圧Ｖｂを白表示用の画素電圧として出力し、白電圧Ｖｂと黒電圧Ｖａとの間の電圧を中間調表示用の画素電圧として出力する。
【００２３】
転移閾値電圧Ｖｃより小さな電圧（０Ｖに近い電圧）が液晶層４に印加され続けると、液晶分子の配向状態がベンド配向からスプレイ配向に徐々に転移し、最終的に逆転移が発生する。従って、転移閾値電圧Ｖｃは、液晶層４への継続的な印加により逆転移を発生する電圧の最大値であるとみなすことができる。図２に示すパネル温度の範囲では、白電圧Ｖｂが常に転移閾値電圧Ｖｃよりも小さいので、黒挿入駆動をせずに白表示を継続した場合に逆転移が発生する。また、液晶分子は温度上昇に伴って動きやすくなり、これがベンド配向からスプレイ配向への逆転移を発生し易くする。この転移閾値電圧Ｖｃは常温で２ボルト程度であるが、図２に示すように液晶表示パネルＤＰの温度上昇に伴なって大きくなる。
【００２４】
このため、図１に示す最小駆動電圧決定部５０を用いた制御により、黒電圧Ｖａおよび白電圧Ｖｂがパネル温度に依存した転移閾値電圧Ｖｃに対して図３に示すように設定される。ソースドライバ１０は上述したように黒電圧Ｖａを黒表示用の画素電圧として出力し、白電圧Ｖｂを白表示用の画素電圧として出力し、白電圧Ｖｂと黒電圧Ｖａとの間の電圧を中間調表示用の画素電圧として出力する。但し、白電圧Ｖｂは液晶表示パネルＤＰの温度上昇に伴なって転移閾値電圧Ｖｃと一緒に変化し、常にこの転移閾値電圧Ｖｃを越えるように設定される。
【００２５】
第１実施形態では、液晶分子の逆転移が防止される。さらに、液晶駆動電圧はパネル温度が変化しても転移閾値電圧Ｖｃ以上に維持される。これにより、液晶分子の逆転移がパネル温度に関係なく防止される。また、バックライトユニットＢＬが調光のために点滅されるが、黒挿入駆動を必要としないため、黒挿入期間とバックライトユニットの消灯周期との違いにより、上端側から下端側に向って移動する黒帯状の映像が液晶表示パネルに現れることもない。
【００２６】
次に、図１に示す最小駆動電圧決定部５０の変形例について説明する。転移閾値電圧テーブル５０Ａの代りに、複数の転移閾値電圧Ｖｃ（あるいはこの転移閾値電圧Ｖｃを僅かに越える電圧）が様々な液晶表示パネルＤＰの温度に対する液晶駆動電圧の最小値として保持されるテーブルを設ければ、検出温度に適合する液晶駆動電圧の最小値を直接的に得ることもできる。図４はこの変形例において設定された黒電圧Ｖａおよび白電圧Ｖｂとパネル温度に依存した転移閾値電圧Ｖｃとの関係を示す。ここでは、白電圧Ｖｂが液晶駆動電圧の最小値に相当し、例えば所定のパネル温度範囲内において一定の電圧が付与される。この変形例のテーブルでは、転移閾値電圧Ｖｃ以上の電圧が所定パネル温度範囲毎に液晶駆動電圧の最小値として保持される。最小駆動電圧決定部５０は温度検出部ＴＳＣによって検出されるパネル温度を含む所定パネル温度範囲の液晶駆動電圧の最小値についてテーブルを参照し、この結果として得られる液晶駆動電圧の最小値（すなわち、白電圧Ｖｂ）を表示制御回路ＣＮＴに設定する。最小駆動電圧決定部５０がこのように構成されると、白電圧Ｖｂは液晶表示パネルＤＰの温度上昇または温度低下に伴って段階的に変更される。
【００２７】
この変形例では、図４に示す白電圧Ｖｂが液晶表示パネルＤＰが所定の温度範囲にある限り変更されない。このため、画素データを画素電圧に変換するデジタルアナログ変換の変換結果が僅かな温度変化によって不必要に変動することが避けられ、違和感のない安定な表示画像を得ることができる。また、図３では、白電圧Ｖｂがパネル温度の変化に対して連続的に変化するが、図４に示すように段階的に変化する場合にはデジタルアナログ変換のための制御を容易にすることができる。
【００２８】
尚、図３および図４では、白電圧Ｖｂが転移閾値電圧Ｖｃまたは転移閾値電圧Ｖｃを僅かに越える電圧に設定されるが、白電圧Ｖｂと転移閾値電圧Ｖｃとの差を大きくすると、コントラストや輝度の低下を招くことに注意する必要がある。従って、白電圧Ｖｂ（最小駆動電圧）は０Ｖ〜０．５Ｖ、より望ましくは０．１Ｖ〜０．５Ｖだけ転移閾値電圧Ｖｃを越えることが好ましい。また、十分大きな液晶駆動電圧が映像信号に対応して比較的頻繁に液晶層４に印加される場合には、白電圧Ｖｂを転移閾値電圧Ｖｃよりも僅かに小さくしても、実用上問題なく逆転移の発生を防止できる。但し、白電圧Ｖｂ（最小駆動電圧）は転移閾値電圧Ｖｃよりも０．０５Ｖ以上下回らないことが好ましい。
【００２９】
また、例えば静止画を液晶表示パネルＤＰに表示させるような場合には、液晶表示パネルＤＰの駆動周波数を低下させることが可能である。この静止画が全面白表示に近い画像であると、駆動周波数の低下によって逆転移が発生するおそれがある。従って、パネル温度だけでなくこの駆動周波数についても液晶表示パネルＤＰの使用環境として検出して液晶駆動電圧の最小値に反映させることが好ましい。
【００３０】
尚、バックライトユニットＢＬは冷陰極管以外の照明光源であっても良い。例えばＬＥＤやエレクトロルミネッセント（ＥＬ）素子をバックライトユニットＢＬに適用することもできる。
【００３１】
ところで、上述の第１実施形態では、画素データが図５に示すよう白電圧Ｖｂと黒電圧Ｖａとの間の範囲の画素電圧に変換される。白電圧Ｖｂはスプレイ配向のエネルギーとベンド配向のエネルギーとを拮抗させる転移閾値電圧Ｖｃ以上に維持される。
【００３２】
ちなみに、図５に示す黒電圧Ｖａについても、黒表示が白っぽくなることを防止するために液晶表示パネルの温度に対して図３に示す黒電圧Ｖａ’として最適化されることが好ましい。例えば図６に示すラダー抵抗部を用いて電源電圧を分圧すると、液晶駆動電圧の極性反転に必要な正極性および負極性の黒電圧＋Ｖａ，−Ｖａおよび正極性および負極性の白電圧＋Ｖｂ，−Ｖｂを得ることができる。黒電圧＋Ｖａ，−Ｖａはこのラダー抵抗部の両端間の電源電圧を調整して変化させることが可能である。
【００３３】
しかしながら、黒電圧＋Ｖａ，−Ｖａを上述のようにして最適化してしまうと、電源電圧を分圧した白電圧＋Ｖｂ，−Ｖｂも変化してしまう。図７は互いに異なる３つの液晶表示パネルの温度に対して黒電圧を最適化した結果を示す。すなわち、黒電圧が最適化によって黒表示を指定する階調”０”の画素データに対してばらつくと、白電圧も白表示を指定する階調”２５５”の画素データに対してばらつくことになる。ダイナミックベンド方式を採用している場合、透過率は白電圧に対して１００％付近に設定されるため、電圧−透過率特性曲線において白電圧の変化に対する透過率の変化は比較的少ない。しかし、スタティックベンド方式を採用している場合には、電圧−透過率特性曲線において白電圧の変化に対する透過率の変化は図８に示すように増大する。特にダイナミックベンド方式とスタティックベンド方式とが液晶表示装置ＤＰにおいて選択使用できる場合には、スタティックベンド方式の使用において透過率が白電圧の変化によって急峻な変化をするため、白電圧のバラツキが著しい輝度差として観察される結果となる。
【００３４】
以下、本発明の第２実施形態に係る液晶表示装置について添付図面を参照して説明する。
【００３５】
第１実施形態では、本発明の主要概念を強調するため白電圧および黒電圧を生成するための回路構造等について詳細な説明を省略した。このため、第２実施形態では、この回路構造についても詳細に説明することにする。図９は第２実施形態に係る液晶表示装置の回路構成を概略的に示す。図９では、第１実施形態と同様な機能部分が同一参照符号で表されている。
【００３６】
液晶表示装置は、第１実施形態と同様にＯＣＢモードの液晶表示パネルＤＰ、バックライトユニットＢＬ、温度センサＴＳ、表示制御回路ＣＮＴ、およびバックライト駆動部ＬＤを備えている。表示制御回路ＣＮＴは、ゲートドライバ１０、ソースドライバ２０、駆動制御部３０、および映像信号処理部４０を有する。
【００３７】
液晶表示パネルＤＰはアレイ基板２および対向基板３間に液晶層４を挟持した構造である。アレイ基板２は、例えばガラス等の透明絶縁基板上にマトリクス状に配置される複数の画素電極ＰＥ、複数の画素電極ＰＥの行に沿って配置される複数のゲート線Ｙ（Ｙ１〜Ｙｍ）、複数の画素電極ＰＥの列に沿って配置される複数のソース線Ｘ（Ｘ１〜Ｘｎ）、およびこれらゲート線Ｙおよびソース線Ｘの交差位置近傍に配置される複数の画素スイッチング素子Ｗを有する。ゲートドライバ１０およびソースドライバ２０はアレイ基板２上に設けられる。ゲートドライバ１０は複数のゲート線Ｙを順次駆動し、ソースドライバ２０は各ゲート線Ｙが駆動される間に複数のソース線Ｘを駆動する。各画素スイッチング素子Ｗは例えばポリシリコン薄膜トランジスタからなる。この場合、薄膜トランジスタのゲートが１本のゲート線Ｙに接続され、ソースおよびドレインパスが１本のソース線Ｘおよび１個の画素電極ＰＥ間にそれぞれ接続される。尚、ゲートドライバ１０は画素スイッチング素子Ｗと同一工程で同時に形成されるポリシリコン薄膜トランジスタを用いて構成される。また、ソースドライバ２０はＣＯＧ（Chip On Glass）技術によりアレイ基板２にマウントされた集積回路（ＩＣ）チップである。
【００３８】
対向基板３は例えばガラス等の透明絶縁基板上に配置されるカラーフィルタ（図示せず）、および複数の画素電極ＰＥに対向してカラーフィルタ上に配置される共通電極ＣＥ等を含む。各画素電極ＰＥおよび共通電極ＣＥは例えばＩＴＯ等の透明電極材料からなり、画素電極ＰＥおよび共通電極ＣＥ間に配置されこれら電極ＰＥ，ＣＥからの電界に対応した液晶分子配列に制御される液晶層４の画素領域と共に液晶画素ＰＸを構成する。また、全ての画素ＰＸは補助容量Ｃｓを有する。これら補助容量Ｃｓはアレイ基板２側において複数行の画素電極ＰＥにそれぞれ容量結合した複数の補助容量線を共通電極ＣＥに電気的に接続することにより得られる。
【００３９】
駆動制御部３０はコントローラ５、コモン電圧発生回路６、階調基準電圧発生回路７を含む。コントローラ５は第１実施形態で設けられた温度検出回路ＴＳＣおよび最小駆動電圧決定部５０を含むように構成され、コモン電圧発生回路６、階調基準電圧発生回路７、ゲートドライバ１０、ソースドライバ２０およびバックライト駆動部ＬＤを制御する。コモン電圧発生回路６は対向基板３上の共通電極ＣＥに対してコモン電圧Ｖcomを発生する。階調基準電圧発生回路７はデジタル映像信号から各画素ＰＸに対して得られる例えば８ビットの画素データDATAを画素電圧に変換するために用いられる複数の階調基準電圧VREFを発生する。画素電圧は共通電極ＣＥの電位を基準として画素電極ＰＥに印加される電圧である。
【００４０】
コントローラ５は、１垂直走査期間毎に順次複数のゲート線Ｙを選択するための制御信号ＣＴＹおよび、１水平走査期間（１Ｈ）毎に映像信号に含まれる１行（ライン）分の画素ＰＸに対する画素データDATAを複数のソース線Ｘにそれぞれ割り当てるための制御信号ＣＴＸ等を発生する。制御信号ＣＴＹは１垂直走査期間（１Ｖ）において発生されるパルスである垂直スタート信号ＳＴＶ、および１垂直走査期間においてゲート線数分発生されるパルスである垂直クロック信号ＣＫＶを含む。ここで、制御信号ＣＴＸは１水平走査期間（１Ｈ）において発生されるパルスである水平スタート信号ＳＴＨ、各水平走査期間においてソース線数分発生されるパルスである水平クロック信号ＣＫＨ、１ライン分の画素に対する画素データDATAを並列的に画素電圧に変換してソース線Ｘ１〜Ｘｎに出力するために１水平走査期間（１Ｈ）においてスタート信号ＳＴＨから所定時間遅れて発生されるパルスであるストローブ信号ＳＴＢ、および１水平走査期間毎および１垂直走査期間毎に画素電圧の極性を反転させるための極性信号ＰＯＬを含む。制御信号ＣＴＹはコントローラ５からゲートドライバ１０に供給され、制御信号ＣＴＸは画素データDATAと共にコントローラ５からソースドライバ２０に供給される。
【００４１】
ゲートドライバ１０は制御信号ＣＴＹの制御により複数のゲート線Ｙを順次選択し、画素スイッチング素子Ｗを導通させる走査信号を選択ゲート線Ｙに供給する。
【００４２】
図１０は図９に示すソースドライバ２０の構成を概略的に示す。ソースドライバ２０は、水平スタート信号ＳＴＨを水平クロック信号ＣＫＨに同期してシフトし、デジタル映像信号の直並列変換タイミングを制御するシフトレジスタ２１、シフトレジスタ２１の制御により１ライン分の画素ＰＸに対する画素データDATAを順次ラッチし、並列的に出力するサンプリング＆ロードラッチ２２、これら画素データDATAをアナログ画素電圧に変換するデジタルアナログ（Ｄ／Ａ）変換回路２３、およびＤ／Ａ変換回路２３から得られる画素電圧をソース線Ｘ１〜Ｘｎに出力する出力バッファ回路２４を含む。Ｄ／Ａ変換回路２３は、階調基準電圧発生回路７から発生される複数の階調基準電圧VREFを参照するように構成される。
【００４３】
図１１に示すように、階調基準電圧発生回路７は、黒電圧＋Ｖａ，−Ｖａとして可変される第１電源電圧を出力する黒電圧制御部３１、白電圧＋Ｖｂ，−Ｖｂとして可変される第２電源電圧を出力する白電圧制御部３２、および第１および第２電源電圧の差電圧を所定数の階調基準電圧Ｖ０〜Ｖ９に分圧するように黒電圧制御部３１および白電圧制御部３２に接続されるラダー抵抗部ＬＲを含む。このラダー抵抗部ＬＲは電源端子ＡＶＤＤおよびＡＶＳＳ間において直列に接続された抵抗Ｒ０〜Ｒ８により構成される。第１電源電圧は分圧中心点に対して正極性黒電圧＋Ｖａおよび負極性黒電圧−Ｖａを得るために電源端子ＡＶＤＤおよびＡＶＳＳを介してラダー抵抗部ＬＲの両端に供給され、第２電源電圧は分圧中心点に対して正極性白電圧＋Ｖｂおよび負極性白電圧−Ｖｂを得るためにラダー抵抗部ＬＲにおいて分圧の中心点を含む抵抗Ｒ４の両端に供給される。
【００４４】
黒電圧制御部３１はコントローラ５と協力して液晶表示パネルＤＰの温度に対して黒電圧＋Ｖａ，−Ｖａを最適化するように構成される。液晶表示パネルＤＰにおいて、各ＯＣＢ液晶画素ＰＸは、液晶分子の配向状態が予めスプレイ配向からベンド配向に転移された状態で印加される画素電圧により駆動される。スタティックベンド方式でベンド配向からスプレイ配向への逆転移を防止するため、白電圧制御部３２はコントローラ５と協力して白電圧＋Ｖｂ，−Ｖｂをスプレイ配向のエネルギーとベンド配向のエネルギーとを拮抗させる転移閾値電圧Ｖｃを僅かに越える値に設定するように構成される。黒電圧制御部３１および白電圧制御部３２は黒電圧＋Ｖａ，−Ｖａおよび白電圧＋Ｖｂ，−Ｖｂとして第１電源電圧および第２電源電圧をそれぞれ可変するために例えばコントローラ５から供給される黒電圧用または白電圧用の数値制御データを電圧に変換するＤ／Ａ変換器およびこの電圧を安定に出力する出力バッファを用いて構成される。温度センサＴＳは液晶表示パネルＤＰの温度を適切に検出できる位置に配置されており、この温度センサＴＳよって検出された温度は黒電圧＋Ｖａ，−Ｖａおよび白電圧＋Ｖｂ，−Ｖｂの最適値を決定するためにコントローラ５で処理される。
【００４５】
ソースドライバ２０のＤ／Ａ変換回路２３は、例えば図１０および図１１に示すように複数のＤ／Ａ変換部２３’および階調基準電圧発生回路７の電圧出力端間に接続される入力抵抗群ｒ０〜ｒ８で構成される。入力抵抗群ｒ０〜ｒ８は複数のＤ／Ａ変換部２３’に対して共通に設けられ、これら電圧出力端間電圧を分圧して得られる所定数の階調電圧を複数のＤ／Ａ変換部２３’に出力する。
【００４６】
各Ｄ／Ａ変換部２３’はサンプリング＆ロードラッチ２２から出力される画素データDATAに対応して所定数の階調電圧の１つを選択して、これをアナログ画素電圧として出力バッファ回路２４に出力する。出力バッファ回路２４は複数のＤ／Ａ変換部２３’からのアナログ画素電圧をそれぞれソース線Ｘ１，Ｘ２，Ｘ３，…に出力する複数のバッファアンプ２４’で構成される。
【００４７】
Ｄ／Ａ変換回路２３および出力バッファ回路２４は階調基準電圧発生回路７の電圧出力端間電圧を分圧するように直列に接続される入力抵抗群ｒ０〜ｒ８から得られる所定数の階調電圧を選択的に用いて１ライン分の画素データDATAをそれぞれ画素電圧に変換し、これら画素電圧をソース線Ｘ１〜Ｘｎに出力する信号変換回路を構成する。
【００４８】
ソース線Ｘ１〜Ｘｎ上の画素電圧は走査信号によって駆動された１ライン分の画素スイッチング素子Ｗを介して対応する画素電極ＰＥにそれぞれ供給される。コモン電圧Ｖcomはコモン電圧発生回路６から共通電極ＣＥに出力される。ソースドライバ２０側では、各Ｄ／Ａ変換部２３’がコモン電圧Ｖcomに等しいＡＶＤＤ／２に対して画素電圧を極性反転させる。
【００４９】
上述の第２実施形態では、黒電圧制御部３１が第１電源電圧を可変して黒電圧＋Ｖａ，−Ｖａを液晶表示パネルＤＰの温度に対して最適化する。また、白電圧制御部３２が白電圧＋Ｖｂ，−Ｖｂをスプレイ配向のエネルギーとベンド配向のエネルギーとを拮抗させる転移閾値電圧Ｖｃを僅かに越える値に設定する。
【００５０】
図１２は互いに異なる３つの液晶表示パネルの温度に対して黒電圧＋Ｖａ，−Ｖａを最適化した結果を示す。黒電圧＋Ｖａ，−Ｖａが最適化によって黒表示を指定する０階調の画素データに対してばらつくが、白電圧＋Ｖｂ，−Ｖｂは白表示を指定する２５５階調の画素データに対してほとんどばらつかない。このように白電圧＋Ｖｂ，−Ｖｂのばらつきがスタティックベンド方式において制限されると、電圧−透過率特性曲線において白電圧＋Ｖｂ，−Ｖｂの変化に対する透過率の変化が図１３に示すように低減される。従って、白電圧＋Ｖｂ，−Ｖｂのバラツキによる著しい輝度差が観察されなくなる。
【００５１】
ところで、上述の転移閾値電圧Ｖｃは第１実施形態において説明したように液晶表示パネルＤＰの温度に依存している。液晶表示パネルＤＰが図１４に示すように広い温度範囲で使用される場合には、この温度範囲において変動する転移閾値電圧Ｖｃの最大値に白表示電圧Ｖｂをシフトさせる必要がある。第１実施形態では、液晶分子の逆転移を防止することに着目しているが、スタティックベンド方式での白電圧はダイナミックベンド方式よりも大きいことから、液晶表示パネルの透過率は白表示時において１００％の最大透過率に対して低下している。このような状況で図１５に示すような転移閾値電圧Ｖｃの変動に対処するように白電圧を設定すると、製品に要求される仕様を十分に満足する白輝度を得ることが困難になる。
【００５２】
従って、スタティックベンド方式がベンド配向からスプレイ配向への逆転移を防止するために採用される場合に室内温度で白輝度が低下することを抑制する必要がある。
【００５３】
上述の実施形態では、黒電圧制御部３１が第１電源電圧を可変して黒電圧＋Ｖａ，−Ｖａを液晶表示パネルＤＰの温度に対して最適化する。また、白電圧制御部３２が白電圧＋Ｖｂ，−Ｖｂをスプレイ配向のエネルギーとベンド配向のエネルギーとを拮抗させる転移閾値電圧Ｖｃを僅かに越える値に設定する。
【００５４】
図１６は、液晶表示パネルＤＰについて予め測定されたパネル温度と転移閾値電圧Ｖｃとの関係を示す。すなわち、コントローラ５は温度センサＴＳによって検出された温度に対応する転移閾値電圧Ｖｃを図１４に示す温度−転移閾値電圧Ｖｃの特性から求め、この転移閾値電圧Ｖｃ、あるいは転移閾値電圧Ｖｃよりも僅かに大きな電圧を白電圧＋Ｖｂ，−Ｖｂとして決定する。
【００５５】
液晶表示パネルＤＰを室温程度で使用するような状況では、転移閾値電圧Ｖｃは図１６に示すように最小値付近の範囲にある。このため、白電圧＋Ｖｂ，−Ｖｂは検出温度が例えば１０℃〜４０℃という所定の室温範囲よりも高い場合およびこの所定の室温範囲よりも低い場合に増大されるように制御される。この結果、図１７から判るように白電圧＋Ｖｂ，−Ｖｂが所定の室温範囲で白表示用の透過率を高めるように小さく維持される。
【００５６】
階調基準電圧発生回路７は液晶分子の配向状態が予めスプレイ配向からベンド配向に転移された状態で印加される画素電圧により駆動されるＯＣＢ液晶画素ＰＸを持つ液晶表示パネルＤＰ用に設けられ、この液晶表示パネルＤＰにおいてスプレイ配向のエネルギーとベンド配向のエネルギーとを拮抗させかつ液晶表示パネルの温度に依存して変動する転移閾値電圧Ｖｃに基いて所定数の階調基準電圧VREFの電圧範囲を決定する。具体的には、所定数の階調基準電圧VREFの電圧範囲が黒電圧＋Ｖａおよび白電圧＋Ｖｂ間、または黒電圧−Ｖａおよび白電圧−Ｖｂ間に設定される。スタティックベンド方式でベンド配向からスプレイ配向への逆転移を防止する場合、こうして電圧範囲を液晶表示パネルＤＰの温度毎に最適化することにより室内温度程度で白輝度が低下することを抑制できる。
【００５７】
また、上述の第２実施形態では、黒電圧制御部３１および白電圧制御部３２がコントローラ５の制御により黒電圧および白電圧を調整するために第１電源電圧および第２電源電圧をそれぞれ可変するように構成されている。しかし、第１実施形態のように液晶分子の逆転移を防止することだけに着目すれば、液晶駆動電圧の最小値（すなわち、白電圧）が決定されることが必要である。この場合には、例えばラダー抵抗部およびセレクタが階調基準電圧発生回路７に設けられる。このラダー抵抗部は図１１に示す抵抗Ｒ０〜Ｒ８より多く第２電源電圧よりも大きな電源電圧を分圧するために直列に接続された抵抗を含み、このラダー抵抗部では、第１群の４抵抗が抵抗Ｒ０〜Ｒ３として機能し、第２群の４抵抗が抵抗Ｒ５〜Ｒ８として機能する。セレクタは選択結果が液晶表示パネルＤＰの温度や駆動周波数等の使用環境に対応してシフトするようにラダー抵抗部において第１および第２群の抵抗を選定する。これにより、電圧Ｖ０〜Ｖ４が第１群の抵抗から得られ、電圧Ｖ５〜Ｖ９が第２群の抵抗から得られる。
【００５８】
尚、階調基準電圧発生回路７はスタティックベンド方式に適合する範囲に画素電圧を制限するように構成されているが、ダイナミックベンド方式とスタティックベンド方式を切換える場合に適用することもできる。この場合、白電圧＋Ｖｂ，−Ｖｂはダイナミックベンド方式において白電圧制御部３２によって転移閾値電圧Ｖｃよりも小さくして設定される。
【図面の簡単な説明】
【００５９】
【図１】本発明の第１実施形態に係る液晶表示装置の回路構成を概略的に示す図である。
【図２】図１に示すＯＣＢモードの液晶表示パネルに対して従来形式で設定された黒電圧および白電圧とパネル温度に依存した転移閾値電圧との関係を示すグラフである。
【図３】図１に示す最小駆動電圧決定部の制御により設定された黒電圧および白電圧とパネル温度に依存した転移閾値電圧との関係を示すグラフである。
【図４】図１に示す最小駆動電圧決定部の変形例の制御により設定された黒電圧および白電圧とパネル温度に依存した転移閾値電圧との関係を示すグラフである。
【図５】図１に示す液晶表示装置において得られる電圧−透過率特性を示すグラフである。
【図６】図３に示す黒電圧および白電圧を得るために利用可能な分圧回路を示す図である。
【図７】図６に示す分圧回路を利用した場合に生じる黒電圧および白電圧のばらつきを示すグラフである。
【図８】図７に示す白電圧のばらつきに対応した透過率の変動範囲を示すグラフである。
【図９】本発明の第２実施形態に係る液晶表示装置の回路構成を概略的に示す図である。
【図１０】図９に示すソースドライバの構成を概略的に示す図である。
【図１１】図９および図１０に示す階調基準電圧発生回路の構成を示す図である。
【図１２】図９に示す液晶表示装置において低減される白電圧のばらつきを示すグラフである。
【図１３】図１２に示す白電圧のばらつきに対応した透過率の変動範囲を示すグラフである。
【図１４】図９に示すＯＣＢモードの液晶表示パネルにおいて転移閾値電圧がパネル温度に依存して変化することを説明するための図である。
【図１５】図１４に示す転移閾値電圧の最大値に基いて白電圧をシフトした場合に低下する透過率を示す図である。
【図１６】図９に示す液晶表示パネルについて予め測定されたパネル温度と転移閾値電圧との関係を示す図である。
【図１７】図１６に示す転移閾値電圧の変動範囲に対して設定される白電圧の範囲を示す図である。
【図１８】電源投入前に得られる液晶分子のスプレイ配向、白表示や黒表示を行うために電源投入後の転移駆動によりスプレイ配向から転移された液晶分子のベンド配向を示す図である。
【符号の説明】
【００６０】
２…アレイ基板、３…対向基板、４…液晶層、５…コントローラ、６…コモン電圧発生回路、７…階調基準電圧発生回路、１０…ゲートドライバ、２０…ソースドライバ、、２３…Ｄ／Ａ変換回路、２３’…Ｄ／Ａ変換部、３０…駆動制御部、３１…黒電圧制御部、３２…白電圧制御部、４０…映像信号処理部、５０…最小駆動電圧決定部、５０Ａ…転移閾値電圧テーブル、ＢＬ…バックライトユニット、ＣＥ…共通電極、ＣＮＴ…表示制御回路、ＤＰ…液晶表示パネル、ＬＤ…バックライト駆動部、ＬＲ…ラダー抵抗部、ＰＥ…画素電極、ＰＸ…液晶画素、ＴＳ…温度センサ、ＴＳＣ…温度検出回路、Ｘ…ソース線、Ｙ…ゲート線、Ｗ…画素スイッチング素子。
【図１】
2007128039.tif 000003
【図２】
2007128039.tif 000004
【図３】
2007128039.tif 000005
【図４】
2007128039.tif 000006
【図５】
2007128039.tif 000007
【図６】
2007128039.tif 000008
【図７】
2007128039.tif 000009
【図８】
2007128039.tif 000010
【図９】
2007128039.tif 000011
【図１０】
2007128039.tif 000012
【図１１】
2007128039.tif 000013
【図１２】
2007128039.tif 000014
【図１３】
2007128039.tif 000015
【図１４】
2007128039.tif 000016
【図１５】
2007128039.tif 000017
【図１６】
2007128039.tif 000018
【図１７】
2007128039.tif 000019
【図１８】
2007128039.tif 000020